(57)【要約】【課題】断線等に起因するデータ入力不良の検査を精度良く行うことができる表示装置を提供する。【解決手段】ドライバＩＣ２０内部に、画像供給装置から導出されドライバＩＣ２０に接続されたデータラインの断線を検査する回路を設ける。判別回路２１１で、画像供給装置から入力されたデジタルデータが全ビット同じであるか否かを判別し、判別回路２１１の判別結果がＯＫであるときには、入力されたデジタルデータに対応したＯＫ画像（良識別画像）をそのまま表示し、判別回路２１１の判別結果がＮＧであるときには、ＯＫ画像とは視覚的に明瞭に異なるＮＧ画像（不良識別画像）を表示する。【選択図】図３
2010175888.tif 000002
【特許請求の範囲】
【請求項１】
表示パネルと、前記表示パネル上に配置され当該表示パネルを駆動する駆動回路と、を備える表示装置であって、
前記駆動回路は、前記表示パネル外部の上位装置から入力されるｍビットのデジタルデータにおける各ビットの入力不良を判別する判別回路と、前記判別回路の判別結果が良であるとき、所定の良識別画像を表示し、前記判別回路の判別結果が不良であるとき、前記良識別画像とは異なる不良識別画像を表示するように前記表示パネルを駆動制御する表示制御回路と、を備えることを特徴とする表示装置。
【請求項２】
前記デジタルデータは、各ビットがそれぞれ等しいデータであって、
前記判別回路は、前記デジタルデータの各ビットが全て同じであるとき判別結果を良とし、前記デジタルデータの各ビットのうち少なくとも１つが異なるとき判別結果を不良とすることを特徴とする請求項１に記載の表示装置。
【請求項３】
前記良識別画像は、前記デジタルデータに対応した画像であることを特徴とする請求項１又は２に記載の表示装置。
【請求項４】
前記良識別画像は、前記デジタルデータとは異なるデータに対応した画像であることを特徴とする請求項１又は２に記載の表示装置。
【発明の詳細な説明】
【技術分野】
【０００１】
本発明は、表示装置に関し、特に上位装置から導出されたデータラインの断線等に起因するデータ入力不良を検査可能な表示装置に関する。
【背景技術】
【０００２】
現在量産されている表示パネルモジュールにおいては、工程内のフレキシブル配線基板（ＦＰＣ）圧着時に配線が断線することにより、表示不具合が生じる場合がある。
このような断線が発生しているか否かを検査する検査装置として、テストパターン用映像信号の上位ビットにより表現される階調に対応したパターンと、下位ビットにより表現される階調に対応したパターンとを同一画面上に表示するものがある（例えば、特許文献１参照）。ここでは、画面に表示されるテストパターンの階調の変化を判別することにより、各ビットの送信不良（断線）の発生有無を判別している。
【先行技術文献】
【特許文献】
【０００３】
【特許文献１】特開２００７−３２２５３３号公報
【発明の概要】
【発明が解決しようとする課題】
【０００４】
しかしながら、上記特許文献１に記載の検査装置にあっては、画面に表示されるテストパターンの階調の変化を目視で判別するため、検査員の習熟度によって判定が異なったり、習熟した検査員でも誤判定をしてしまったりする事例がある。
そこで、本発明は、断線等に起因するデータ入力不良の検査を精度良く行うことができる表示装置を提供することを課題としている。
【課題を解決するための手段】
【０００５】
上記課題を解決するために、本発明に係る表示装置は、表示パネルと、前記表示パネル上に配置され当該表示パネルを駆動する駆動回路と、を備える表示装置であって、前記駆動回路は、前記表示パネル外部の上位装置から入力されるｍビットのデジタルデータにおける各ビットの入力不良を判別する判別回路と、前記判別回路の判別結果が良であるとき、所定の良識別画像を表示し、前記判別回路の判別結果が不良であるとき、前記良識別画像とは異なる不良識別画像を表示するように前記表示パネルを駆動制御する表示制御回路と、を備えることを特徴としている。
【０００６】
このように、上位装置から入力されるデジタルデータにおける各ビットの入力不良を判別するので、上位装置から導出されたデータラインの断線を検知することができる。また、判別結果ＯＫ時とＮＧ時とで、切り分けができる識別画像を表示するので、検査員の習熟度にかかわらず精度良く不良検査を行うことができる。さらに、表示パネルを駆動制御する駆動回路（ドライバＩＣ）内部に不良検査回路を設けるので、外部に複雑な検査回路を設ける必要がない。  また、本発明に係る表示装置は、上記において、前記デジタルデータは、各ビットがそれぞれ等しいデータであって、前記判別回路は、前記デジタルデータの各ビットが全て同じであるとき判別結果を良とし、前記デジタルデータの各ビットのうち少なくとも１つが異なるとき判別結果を不良とすることを特徴としている。
【０００７】
これにより、判別回路を比較的単純なロジックで実現可能である。また、各ビットがそれぞれ等しいデータ（黒または白）は、輝点及び滅点検査のためにもともと用意されているデータであるため、このデータを断線等に起因する入力不良検査に用いることで、新たに入力不良検査用のデータを用意する必要がない。
さらに、本発明に係る表示装置は、上記において、前記良識別画像は、前記デジタルデータに対応した画像であることを特徴としている。
このように、判別結果がＯＫであるときには入力データをそのまま出力するので、良識別画像を別途生成し表示する必要がない。そのため、回路構成を簡略化することができる。さらに、良識別画像として全画面白を表示している場合には滅点の目視検査、全画面黒を表示している場合には輝点の目視検査を同時に行うことができる。
【０００８】
また、本発明に係る表示装置は、上記において、前記良識別画像は、前記デジタルデータとは異なるデータに対応した画像であることを特徴としている。
これにより、良識別画像として入力データに対応した画像を表示している場合であっても、表示パネルの画素不良により、たまたま不良識別画像と同一画像が表示されてしまう場合などにおける誤判定を回避することができる。
【図面の簡単な説明】
【０００９】
【図１】本実施形態における液晶表示装置の全体構成を示す図である。
【図２】表示パネル及びドライバＩＣの具体的構成を示すブロック図である。
【図３】信号処理回路の詳細な構成を示すブロック図である。
【図４】断線検査モードにおける画面表示の例を示す図である。
【図５】断線検査モードにおける画面表示の別の例を示す図である。
【発明を実施するための形態】
【００１０】
以下、本発明の実施の形態を図面に基づいて説明する。
図１は本実施形態における表示装置（液晶表示装置）１の全体構成を示す図である。
この図１に示されるように、表示装置１は、表示領域１００を有する表示パネル１０を備える。表示パネル１０は、特に図示しないが、素子基板と対向基板とが互いに電極形成面が対向するように、一定の間隙を保って貼り合わせられるとともに、この間隙に液晶を封入した構成となっている。
【００１１】
表示領域１００には、特に図示しないが、複数の走査線が行方向に延在すると共に、複数のデータ線が列方向に延在するように、かつ、各走査線と互いに電気的な絶縁を保つように設けられている。そして、各走査線と各データ線との交差部分には、画素がそれぞれ配列している。
表示パネル１０の素子基板上には、画素のスイッチング素子や後述する走査線駆動回路の構成素子、後述するデータ線駆動回路の構成素子がＳＯＧ（System On Glass）技術により共通プロセスによって形成されるとともに、表示パネル１０を駆動制御するための半導体チップであるドライバＩＣ２０（駆動回路）が、ＣＯＧ（Chip On Glass）技術により実装されている。
【００１２】
なお、ドライバＩＣ２０は、ＳＯＧ技術により表示パネル１０の素子基板上に形成されていてもよい。
また、表示パネル１０の素子基板には、フレキシブル配線基板（ＦＰＣ）３０が圧着されている。そして、このＦＰＣ３０を通して、図示しない外部の画像供給装置（上位装置）から導出されたデータライン及び制御ラインがドライバＩＣ２０に接続されている。
【００１３】
図２は、表示パネル１０及びドライバＩＣ２０の具体的構成を示すブロック図である。
ドライバＩＣ２０は、信号処理回路２１、Ｄ／Ａ変換回路２２、バッファ（ＢＦ）２３、制御信号出力回路２４、タイミングコントローラ（Ｔ／Ｃ）２５、電源回路２６、共通電圧供給回路（ＣＯＭ）２７、プリチャージ電圧供給回路（ＤＳＤ）２８を備える。
信号処理回路２１は、画像供給装置から出力されるＲＧＢ各８ビットのデジタルデータを入力し、制御信号出力回路２４からの制御信号に基づいて信号処理を行う。当該信号処理については後に詳述する。
【００１４】
Ｄ／Ａ変換回路２２は、信号処理回路２１から出力されたデジタルデータから画素毎の階調度を示すアナログ信号に変換する。このアナログ信号は、バッファ２３を介して表示パネル１０のデータ線駆動回路１３へ入力される。
タイミングコントローラ２５は、垂直／水平同期信号（ＶＤ、ＨＤ）やクロック信号（ＭＣＬＫ）などのタイミング信号の入力を受けて、走査線駆動回路１１及びデータ線駆動回路１３の動作タイミングを制御するための制御信号を発生する。ここで、制御信号は、水平スタートパルスや水平クロック信号などのＨ−ｄｒｉｖｅ  Ｐｕｌｓｅｓ、垂直スタートパルスや垂直クロック信号などのＶ−ｄｒｉｖｅ  Ｐｕｌｓｅｓを含む。
【００１５】
電源回路２６は、パネル駆動用電源ＰＶＤＤを生成し、これを表示パネル１０に出力する。
共通電圧供給回路２７は、画素を構成する共通電極に供給するための共通電極電圧（ＣＯＭ）を生成し、表示パネル１０に出力する。また、プリチャージ電圧供給回路２８は、所定のタイミングで所定期間、データ線に供給するプリチャージ電圧ＤＳＤを生成し、これをプリチャージ回路１５に出力する。
【００１６】
表示パネル１０は、走査線駆動回路１１、レベルシフタ１２、データ線駆動回路１３、レベルシフタ１４、プリチャージ回路１５を備える。
走査線駆動回路１１は、シフトレジスタを内蔵する。この走査線駆動回路１１は、タイミングコントローラ２５から供給されレベルシフタ１２で電圧レベルが変換された垂直スタートパルスを、垂直クロック信号にしたがって順次シフトすること等によって走査信号を生成し、その走査信号を走査線に出力することで複数の走査線を順次選択する。
【００１７】
データ線駆動回路１３は、走査線駆動回路１１により選択される走査線に位置する各画素の表示階調に応じた電圧となるデータ信号を、当該各画素に対応したデータ線にそれぞれ供給する。このデータ線駆動回路１３は、シフトレジスタを内蔵し、タイミングコントローラ２５から供給されレベルシフタ１４で電圧レベルが変換された水平スタートパルスを、水平クロック信号にしたがって順次シフトし、その出力に応じて上記データ信号を順次データ線に供給する。
プリチャージ回路１５は、例えば、各水平走査期間における水平ブランキング期間（非有効表示期間）内に、各データ線とプリチャージ電圧ＤＳＤが供給されるプリチャージ線（不図示）とを導通することで、プリチャージ電圧ＤＳＤを各データ線へ同時に供給する。
【００１８】
次に、信号処理回路２１および制御信号出力回路２４の具体的構成について説明する。
図３は、信号処理回路２１および制御信号出力回路２４の構成を示すブロック図である。
信号処理回路２１は、判別回路２１１、ＮＧ画像生成回路２１２、選択回路２１３を備える。なお、ＮＧ画像生成回路２１２および選択回路２１３が表示制御回路を構成している。
画像供給装置から出力された８ビットのデジタルデータは、判別回路２１１および選択回路２１３に入力される。
【００１９】
判別回路２１１は、入力したデジタルデータの各ビットが全て同じであるか否かを判別し、その結果を選択回路２１３に出力する。この判別回路２１１は、例えば、エクスクルージブオア等の回路で構成する。そして、入力データが全ビット同じであれば判別結果がＯＫ、全ビット同じでなければ判別結果がＮＧであるとする。
なお、判別回路２１１は、入力されたデジタルデータに対して１ビット毎に入力の有無を確認できる回路であればよく、上記構成に限定されるものではない。
【００２０】
ＮＧ画像生成回路２１２は、予め設定されたＮＧ画像を表示するための映像データを選択回路２１３に出力する。ＮＧ画像とは、判別回路２１１の判別結果がＮＧであるときに画面に表示する画像であり、ここでは、所定の位置に垂直線を表示するなど、比較的容易に生成することができる画像に設定する。
選択回路２１３は、制御信号出力回路２４から出力される断線判別Ｆｌａｇを入力する。そして、断線判別Ｆｌａｇが断線判別検査を行わない通常モードを示す“０”にセットされているときには、選択回路２１３は、画像供給装置から入力されるデジタルデータをそのまま図２のＤ／Ａ変換回路２２に出力する。
【００２１】
一方、断線判別Ｆｌａｇが断線判別検査を行う断線検査モードを示す“１”にセットされているときには、選択回路２１３は、判別回路２１１の判別結果に応じて、画像供給装置から入力されるデジタルデータ及びＮＧ画像生成回路２１２から入力されるＮＧ画像データのうち何れか一方を選択し、Ｄ／Ａ変換回路２２に出力する。ここでは、判別回路２１１の判別結果がＯＫであるときには画像供給装置から入力されるデジタルデータを選択し、判別回路２１１の判別結果がＮＧであるときにはＮＧ画像データを選択する。
これにより、信号処理回路２１は、断線判別Ｆｌａｇ＝０であるか、断線判別Ｆｌａｇ＝１且つ判別結果がＯＫである場合には、入力デジタルデータをそのまま出力し、断線判別Ｆｌａｇ＝１且つ判別結果がＮＧである場合には、ＮＧ画像データを出力することになる。
なお、断線検査モードでは、画像供給装置から全ビット“０”（Ａｌｌ＿Ｌｏｗ）又は全ビット“１”（Ａｌｌ＿Ｈｉ）のデジタルデータが信号処理回路２１に入力されるものとする。
【００２２】
次に、本実施形態の動作および効果について説明する。
図４は、断線検査モードにおける画面表示の例を示す図である。
制御信号出力回路２４から断線判別Ｆｌａｇ＝１が出力されると、先ず、画像供給装置から全ビット“１”のデジタルデータが出力され、これが画像供給装置から導出されたデータラインを通ってドライバＩＣ２０に入力される。
このとき、各データラインが断線していない正常状態であるものとすると、判別回路２１１は入力デジタルデータの各ビットが全て“１”であると判別し、判別結果ＯＫを選択回路２１３に出力する。したがって、選択回路２１３は、画像供給装置から入力されたデジタルデータをそのままＤ／Ａ変換回路２２に出力する。
これにより、表示領域１００には、図４（ａ）に示すように全画面白が表示される。
【００２３】
次に、画像供給装置から全ビット“０”のデジタルデータが出力され、これがドライバＩＣ２０に入力される。この場合にも、判別回路２１１は入力デジタルデータの各ビットが全て“０”であると判別し、判別結果ＯＫを選択回路２１３に出力する。したがって、選択回路２１３は、画像供給装置から入力されたデジタルデータをそのままＤ／Ａ変換回路２２に出力する。
これにより、表示領域１００には、図４（ｃ）に示すように全画面黒が表示される。
【００２４】
一方、データラインが断線している場合には、画像供給装置から全ビット“１”のデジタルデータが入力されても、判別回路２１１は入力デジタルデータの各ビットが全て同じではない（“１”以外のデータが存在する）と判別する。そして、判別回路２１１は、判別結果ＮＧを選択回路２１３に出力する。そのため、選択回路２１３は、ＮＧ画像生成回路２１２から出力されるＮＧ画像データをＤ／Ａ変換回路２２に出力する。
これにより、表示領域１００には、図４（ｂ）に示すようにＮＧ画像が表示される。なお、ここではＮＧ画像として白色背景の右端に黒の垂直線を出す例を示している。
また、画像供給装置から全ビット“０”のデジタルデータが入力された場合にも、判別回路２１１は判別結果ＮＧを選択回路２１３に出力する。そのため、選択回路２１３は、ＮＧ画像生成回路２１２から出力されるＮＧ画像データをＤ／Ａ変換回路２２に出力する。
これにより、表示領域１００には、図４（ｄ）に示すようにＮＧ画像が表示される。なお、ここではＮＧ画像として黒色背景の右端に白の垂直線を出す例を示している。
【００２５】
ところで、断線検査を行う方法として、テストパターン用映像信号の上位ビットにより表現される階調に対応したパターンと、下位ビットにより表現される階調に対応したパターンとを同一画面上に表示する方法がある。この場合、画面に表示されるテストパターンの階調の変化を目視で判別することにより、各ビットの送信不良（断線）の発生有無を判別する。しかしながら、この方法では、検査員の習熟度によって判定が異なったり、習熟した検査員でも誤判定をしてしまったりする事例がある。特に、データラインの下位ビットなどの場合、階調変化の判別が困難である。
【００２６】
これに対して、本実施形態では、ドライバＩＣ２０内にデータラインの断線の発生有無を判別する判別回路を設け、その判別回路の判別結果に応じて、視覚的に明瞭に識別可能な２種類の画像（入力画像とＮＧ画像）を切り分け表示する。そのため、検査員の習熟度にかかわらず精度良く判定を行うことができる。
また、断線検査モードでは、画像供給装置からＡｌｌ＿ＨｉまたはＡｌｌ＿Ｌｏｗのデータを入力するので、入力データの各ビットが全て同じであるか否かを判定するだけで断線判定を行うことができる。そのため、判別回路の構成を簡略化することができる。さらに、ドライバＩＣ内部に断線検査回路を設けるので、外部に複雑な検査回路を設ける必要がない。
【００２７】
また、Ａｌｌ＿ＨｉおよびＡｌｌ＿Ｌｏｗのデータは、輝点や滅点を検査するうえで必要なデータである。このように、もともと用意されているデータを断線検査に用いることにより、新たに断線検査用のデータを用意する必要がない。
さらに、判別回路の判別結果がＯＫであるときに、入力デジタルデータをそのまま出力するので、ＯＫ画像として全画面白を表示しているときには滅点、ＯＫ画像として全画面黒を表示しているときには輝点の目視検査を同時に行うこともできる。また、別途ＯＫ画像を生成する必要がないため、断線検査回路を簡略化することができる。
【００２８】
さらにまた、判別回路の判別結果がＮＧであるとき、ＮＧ画像として容易に生成できる垂直線表示を採用するので、ＮＧ画像生成回路が複雑になることがない。
また、画像供給装置からデータラインを通って入力された直後のデータを検査するので、データ不具合の原因が上記データラインの断線であると特定することができる。このように、不具合の原因を特定することで、原因排除を行う工程（配線の張り替えなど）までモジュールを戻すことができる。
【００２９】
なお、上記実施形態においては、判別回路の判別結果がＯＫであるとき、入力データをそのまま出力する場合について説明したが、入力データに対応した画像とは異なるＯＫ画像データを別途生成し、これを出力するようにしてもよい。ＯＫ画像は、ＮＧ画像とは視覚的に明瞭に識別可能な画像に設定し、例えば図５（ａ）及び（ｃ）に示すように、左端に垂直線を出す画像とする。
例えば、ＯＫ画像として全画面白を表示すべく制御している場合であっても、表示パネルの画素不良によりＮＧ画像と同一画像が表示されると、判別結果がＮＧであると誤判定されてしまう。したがって、入力データに対応した画像とは異なるＯＫ画像を出力することにより、上記誤判定を回避することができる。
【００３０】
また、上位実施形態においては、ＮＧ画像として、一定の位置に垂直線を表示する場合について説明したが、どのデータラインが断線しているかに応じて垂直線の表示位置を変更するようにしてもよい。これにより、断線しているラインを特定することができる。
さらに、上記実施形態においては、ＮＧ画像（及びＯＫ画像）として、垂直線を表示する場合について説明したが、ＯＫとＮＧとを視覚的に明瞭に切り分けすることができ且つ比較的容易に生成可能な画像であれば、水平線など他の画像でもよい。例えば、判別結果がＯＫであるときに“ＯＫ”、判別結果がＮＧであるときに“ＮＧ”と表示するなど、文字を表示してもよい。
【００３１】
また、上記実施形態においては、入力デジタルデータが８ビットである場合について説明したが、１０ビットなどの多ビット化の際にも有益である。
さらにまた、上記実施形態においては、本発明を、液晶表示装置に適用する場合について説明したが、液晶以外の電気光学物質を用いた表示装置、例えば有機ＥＬやプラズマ放電を用いた表示装置に適用することもできる。
【符号の説明】
【００３２】
１…表示装置（液晶表示装置）、１０…表示パネル、２０…ドライバＩＣ、３０…ＦＰＣ、１１…走査線駆動回路、１２…レベルシフタ、１３…データ線駆動回路、１４…レベルシフタ、１５…プリチャージ回路、２１…信号処理回路、２２…Ｄ／Ａ変換回路、２３…バッファ、２４…制御信号出力回路、２５…タイミングコントローラ、２６…電源回路、２７…共通電圧供給回路、２８…振りチャージ電圧供給回路、１００…表示領域
【図１】
2010175888.tif 000003
【図２】
2010175888.tif 000004
【図３】
2010175888.tif 000005
【図４】
2010175888.tif 000006
【図５】
2010175888.tif 000007